(57)【要約】【課題】金融口座カードを使用することなく、金融機関の口座の取引を行うことのできる自動取引装置を提供する。【解決手段】自動取引装置は、公的個人識別カードの個人識別番号を読み取るカード読取部と、カード読取部により読み取られた個人識別番号を送信する送信部と、個人識別番号に関連付けられた金融機関の口座番号を受信する受信部と、受信部で受信した口座番号での取引画面を表示する表示部と、取引画面において表示される口座取引のうち、選択された口座取引を検知する入力部と、口座番号の口座において、入力部で検知された種類の口座取引の処理を行う制御部と、を備える。【選択図】図１
2018025967.tif 000002
【特許請求の範囲】
【請求項１】
公的個人識別カードの個人識別番号を読み取るカード読取部と、
前記カード読取部により読み取られた前記個人識別番号を送信する送信部と、
前記個人識別番号に関連付けられた金融機関の口座番号を受信する受信部と、
前記受信部で受信した口座番号での取引画面を表示する表示部と、
前記取引画面において表示される口座取引のうち、選択された口座取引を検知する入力部と、
前記口座番号の口座において、前記入力部で検知された種類の口座取引の処理を行う制御部と、
を備えることを特徴とする自動取引装置。
【請求項２】
前記送信部は、
更に新規の口座番号を割り付ける指示を送信し、
前記受信部は、
前記割り付けられた前記新規の口座番号を、前記個人識別番号に関連付けられた金融機関の口座番号として受信する、
ことを特徴とする請求項１に記載の自動取引装置。
【請求項３】
前記送信部は、
前記個人識別番号に加えて、前記個人識別番号に関連付けられていない前記口座番号を送信し、
前記受信部は、
前記送信された前記口座番号を、前記個人識別番号に関連付けられた口座番号として受信する、
ことを特徴とする請求項１に記載の自動取引装置。
【請求項４】
前記受信部は、
複数の前記口座番号を受信し、
前記表示部は、
前記複数の口座番号を表示し、
前記入力部は、
前記表示された前記複数の口座番号のうち、一つの前記口座番号の選択を検出し、
前記制御部は、
前記選択された前記口座番号の取引処理を行う、
ことを特徴とする請求項１に記載の自動取引装置。
【請求項５】
前記受信部は、複数の前記口座番号を受信し、
前記表示部は、前記複数の口座番号を表示し、
前記入力部は、前記表示された前記複数の口座番号のうち、一つの前記口座番号の選択を検出し、
前記制御部は、前記選択された前記口座番号を最初に表示させる口座とするように設定する、
ことを特徴とする請求項１に記載の自動取引装置。
【請求項６】
公的個人識別カードの個人識別番号を受信するサーバ受信部と、
前記個人識別番号と金融機関の口座番号とを関連付けが記録される個人識別番号記憶部と、
前記サーバ受信部で受信した前記個人識別番号に関連付けられた前記口座番号を送信するサーバ送信部と、
を備えることを特徴とする自動取引サーバ。
【請求項７】
前記サーバ受信部は、
前記個人識別番号と前記個人識別番号と共に受信した口座番号とを関連付けて、前記個人識別番号記憶部に保存する口座番号関連付け保存部を更に備える
ことを特徴とする請求項６に記載の自動取引サーバ。
【請求項８】
前記サーバ受信部は、
新規の口座番号を割り付ける指示を受信し、前記新規の口座番号を割り付けて口座を開設する口座開設部を更に備える
ことを特徴とする請求項６に記載の自動取引サーバ。
【請求項９】
自動取引装置と自動取引サーバとを備える自動取引システムであって、
前記自動取引装置は、
公的個人識別カードの個人識別番号を読み取るカード読取部と、
前記カード読取部により読み取られた前記個人識別番号を送信する送信部と、
前記個人識別番号に関連付けられた金融機関の口座番号を受信する受信部と、
前記受信部で受信した口座番号での取引画面を表示する表示部と、
前記取引画面において表示される口座取引のうち、選択された口座取引を検知する入力部と、
前記口座番号の口座において、前記入力部で検知された種類の口座取引の処理を行う制御部と、を有し、
前記自動取引サーバは、
前記公的個人識別カードの前記個人識別番号を受信するサーバ受信部と、
前記個人識別番号と前記口座番号とを関連付けが記録される個人識別番号記憶部と、
前記サーバ受信部で受信した前記個人識別番号に関連付けられた前記口座番号を送信するサーバ送信部と、
を有することを特徴とする自動取引システム。
【発明の詳細な説明】
【技術分野】
【０００１】
本発明は、自動取引装置、自動取引サーバ及び自動取引システムに関し、例えば、金融機関やコンビニエンスストア等に設置される自動取引装置に適用して好適なものである。
【背景技術】
【０００２】
従来より、金融機関やコンビニエンスストアに設置され、例えば金融機関の口座を利用して入金、出金、残高照会又は振込等の取引を行うことのできる自動取引装置が知られている。自動取引装置は、金融機関の通帳やキャッシュカードや銀行カードと呼ばれる金融口座カード等に保存された識別情報を読み取って、取引の対象となる銀行名・支店名・口座番号を判別している。
【０００３】
特許文献１は、発行機関Ｂの取引用カードを受け付けた金融機関Ａの口座開設処理システムが、発行機関Ｂのカードの利用可能を示す場合に、金融機関Ａの口座を開設することについて開示している。
【先行技術文献】
【特許文献】
【０００４】
【特許文献１】特開２００５−２２８１５９号公報
【発明の概要】
【発明が解決しようとする課題】
【０００５】
ところで、金融口座カードは口座ごとに発行されるため、例えば複数の金融機関にそれぞれ複数の口座を有する利用者は、各金融機関の各口座ごとに金融口座カードを有することとなる。このため、利用者における金融口座カードの管理は煩雑となり、金融口座カードの紛失に気付きにくい等の恐れもあった。また、自動取引装置において複数の口座に関する取引を連続して行うには、一つ目の取引の金融口座カードを取り出してから、二つ目の取引の金融口座カードを挿入して取引を行うなど操作の手間も多かった。
【０００６】
本発明は上述の点を考慮してなされたもので、金融口座カードを使用することなく、金融機関の口座の取引を行うことのできる自動取引装置、自動取引サーバ及び自動取引システムを提供しようとするものである。
【課題を解決するための手段】
【０００７】
かかる課題を解決するため本発明の自動取引装置は、公的個人識別カードの個人識別番号を読み取るカード読取部と、前記カード読取部により読み取られた前記個人識別番号を送信する送信部と、前記個人識別番号に関連付けられた金融機関の口座番号を受信する受信部と、前記受信部で受信した口座番号での取引画面を表示する表示部と、前記取引画面において表示される口座取引のうち、選択された口座取引を検知する入力部と、前記口座番号の口座において、前記入力部で検知された種類の口座取引の処理を行う制御部と、を備えることを特徴とする。
【０００８】
また、本発明の自動取引サーバは、公的個人識別カードの個人識別番号を受信するサーバ受信部と、前記個人識別番号と金融機関の口座番号とを関連付けが記録される個人識別番号記憶部と、前記サーバ受信部で受信した前記個人識別番号に関連付けられた前記口座番号を送信するサーバ送信部と、を備えることを特徴とする。
【０００９】
本発明の自動取引システムは、自動取引装置と自動取引サーバとを備え、前記自動取引装置は、公的個人識別カードの個人識別番号を読み取るカード読取部と、前記カード読取部により読み取られた前記個人識別番号を送信する送信部と、前記個人識別番号に関連付けられた金融機関の口座番号を受信する受信部と、前記受信部で受信した口座番号での取引画面を表示する表示部と、前記取引画面において表示される口座取引のうち、選択された口座取引を検知する入力部と、前記口座番号の口座において、前記入力部で検知された種類の口座取引の処理を行う制御部と、を有し、前記自動取引サーバは、前記公的個人識別カードの前記個人識別番号を受信するサーバ受信部と、前記個人識別番号と前記口座番号とを関連付けが記録される個人識別番号記憶部と、前記サーバ受信部で受信した前記個人識別番号に関連付けられた前記口座番号を送信するサーバ送信部と、を有することを特徴とする。
【発明の効果】
【００１０】
本発明によれば、金融口座カードを使用することなく、金融機関の口座の取引を行うことができる。
【図面の簡単な説明】
【００１１】
【図１】本発明の一実施の形態に係る自動取引システムの構成について示す図である。
【図２】自動取引装置の制御部のハードウェア構成について概略的に示す図である。
【図３】自動取引サーバのサーバ制御部のハードウェア構成を示す図である。
【図４】自動取引装置の自動取引処理の例について示すフローチャートである。
【図５】表示部に表示される開始画面の例を示す図である。
【図６】公的個人識別カード処理の例について示すフローチャートである。
【図７】個人識別番号テーブルの構成の例について示す図である。
【図８】表示部に表示される公的個人識別カード初回画面の例を示す図である。
【図９】口座開設処理の例について示すフローチャートである。
【図１０】既存口座関連付け処理の例について示すフローチャートである。
【図１１】公的個人識別カードによる取引処理の例について示すフローチャートである。
【図１２】表示部に表示される取引画面の例を示す図である。
【図１３】表示部に表示される口座一覧画面の例を示す図である。
【図１４】表示部に表示される優先順位設定画面の例を示す図である。
【図１５】自動取引処理の例について示すフローチャートである。
【図１６】表示部に表示されるカード挿入画面の例を示す図である。
【発明を実施するための形態】
【００１２】
以下図面について、本発明における一実施の形態を詳述する。以下の説明において、同様の要素には同一の符号を付し、重複する説明を省略する。
【００１３】
（１）本実施の形態による自動取引システムの構成
図１は、本発明の一実施の形態に係る自動取引システム１００の構成について示す図である。この図に示されるように自動取引システム１００は、利用者が直接操作する対象である自動取引装置２００と、自動取引装置２００とネットワーク１１０を介して接続され、自動取引装置２００から受信する情報に基づいて情報を処理し、自動取引装置２００が要求する情報を送信する自動取引サーバ３００とから構成される。
【００１４】
ここで、自動取引装置２００は、入力部２１０と、表示部２２０と、現金授受部２３０と、カード読取部２４０と、制御部２５０とを有している。入力部２１０は、例えば、表示部２２０の画面上に配置され、利用者が触れることにより座標が認識され、座標に応じた入力信号に変換されるタッチパネルとすることができる。なお、タッチパネルに限られず入力部は、キーボードやマウス等の他の入力装置であってもよい。また、入力部２１０は、表示部２２０が表示する取引画面において表示される口座取引のうち、選択された口座取引を検知することができる。
【００１５】
表示部２２０は、例えば、液晶表示装置や有機ＥＬ（Electro Luminescence）表示装置等の表示装置からなり、例えば文字を表示することにより、利用者に情報を伝達する出力装置である。表示部２２０は、受信部２５２で受信した口座番号での取引画面を表示することができる。
【００１６】
現金授受部２３０は、利用者と現金の受け渡しを行うと共に、受け渡しされる現金の数える装置である。ここで現金授受部２３０を有していなくてもよい。カード読取部２４０は、少なくとも公的個人識別カード４１０の個人識別番号を読み取り、更に銀行その他の金融機関のキャッシュカード及びバンクカードと呼ばれる金融口座カード４２０並びにクレジットカード等その他の金融機関のカードを読み取る機能を有していてもよい。しかしながら、金融口座カード４２０その他の金融機関のカードを読み取る機能を有していなくてもよい。
【００１７】
ここで、カード読取部２４０は、ＩＣ（Integrated Circuit）が内蔵されたＩＣカード及び磁気ストライプのカードのいずれか又は両方を読み取る機能を有していることとしてもよい。なお、公的個人識別カード４１０及び金融口座カード４２０は、自動取引システム１００の構成には含まれないものである。
【００１８】
図２は、自動取引装置２００の制御部２５０のハードウェア構成について概略的に示す図である。制御部２５０は、ＣＰＵ（Central Processing Unit）２５３、ＲＡＭ（Random Access Memory）等の揮発性記憶部２５４、ハードディスクやフラッシュメモリ等の不揮発性記憶部２５５、入出力インタフェース２５６、送信部２５１及び受信部２５２を有している。
【００１９】
ここで入出力インタフェース２５６は、入力部２１０、表示部２２０、現金授受部２３０及びカード読取部２４０をそれぞれ制御するための通信を行う。送信部２５１は、ネットワーク１１０を介して自動取引サーバ３００に対して情報を送信し、例えば、カード読取部２４０により読み取られた個人識別番号を送信する。
【００２０】
受信部２５２は、ネットワーク１１０を介して自動取引サーバ３００からの情報を受信し、例えば、個人識別番号に関連付けられた金融機関の口座番号を受信する。また、制御部２５０は、送受信の処理だけでなく、例えば受信部２５２により受信された口座番号の口座において、入力部２１０で検知された種類の口座取引の処理を行うことができる。
【００２１】
図３は、自動取引サーバ３００のサーバ制御部３５０のハードウェア構成を示す図である。サーバ制御部３５０は、自動取引装置２００の制御部２５０と同様に、ＣＰＵ３５７、揮発性記憶部３５８、不揮発性記憶部３５９、サーバ送信部３５１及びサーバ受信部３５２を有している。
【００２２】
サーバ送信部３５１及びサーバ受信部３５２は、それぞれネットワーク１１０を介して自動取引装置２００との間で情報の送信及び受信を行う。サーバ受信部３５２は、例えば公的個人識別カード４１０の個人識別番号を受信することができる。サーバ送信部３５１は、例えばサーバ受信部３５２で受信した個人識別番号に関連付けられた口座番号を送信することができる。
【００２３】
図１のサーバ制御部３５０には、サーバ制御部３５０の機能構成が示されており、サーバ送信部３５１及びサーバ受信部３５２の他、口座番号関連付け保存部３５３、口座開設部３５４及び個人識別番号記憶部３５５を有している。口座番号関連付け保存部３５３は、個人識別番号と口座番号とを関連付けて、個人識別番号記憶部３５５に保存する。
【００２４】
口座開設部３５４は、新規の口座番号を割り振る等の機能を有し、口座番号を割り付けて口座を開設する。個人識別番号記憶部３５５は、例えば、個人識別番号と金融機関の口座番号とを関連付けが記録される記憶部であり、利用者の公的個人識別カード４１０に保存された個人識別番号を口座番号に関連付けて記憶されるものとすることができる。
【００２５】
ここで、公的個人識別カード４１０は、社会保障や税納付のために政府が発行するカードを含み、その他公的機関が発行する個人を識別することができるカードを含むものである。日本国における個人番号カードは本発明における公的個人識別カード４１０に含まれる。
【００２６】
公的個人識別カード４１０には、少なくとも個人識別番号のデジタル情報が保存されている。また、口座開設部３５４は、自動取引サーバ３００内に配置されていてもよいし、ネットワーク１１０に接続された他のサーバ装置に配置されていてもよい。
【００２７】
（２）自動取引システムの処理
図４には、自動取引装置２００の自動取引処理Ｓ１００のフローチャートが示されている。このフローチャートに示されるように、制御部２５０は、表示部２２０に対して、例えば図５に示されるような開始画面６１０を表示させる（Ｓ１０１）。
【００２８】
開始画面６１０では、例えば利用者に対して、公的個人識別カード４１０を含むカードを挿入させるか、引き出し、預け入れ、振り込み及び残高照会のいずれかの取り引きを選択させる画面となっている。ここで、この他の取り引きを選択させる画面であってもよい。図４のフローチャートでは、カードを挿入した場合について示す。
【００２９】
カードがカード読取部２４０に挿入されると、制御部２５０はカード挿入を認識し（Ｓ１０２）、例えば、カードが自動取引装置２００で処理できるか、または不正に作成されたカードでないかどうか等のカード認証を行い（Ｓ１０３）、カードが認証されなかった場合（ＮＧ）には、カードを返却し、ステップＳ１０１の開始画面の表示に戻る。
【００３０】
一方、カードが認証された場合（ＯＫ）には、公的個人識別カード４１０であるかどうかを判定する（Ｓ１０４）。公的個人識別カード４１０である場合には、公的個人識別カード処理（Ｓ２００）に移行し、金融機関の金融口座カード４２０等である場合には、その他のカードの処理（Ｓ１０５）に移行する。その他のカードの処理（Ｓ１０５）については説明を省略する。なお、カード認証（Ｓ１０３）及び公的個人識別カード４１０であるかどうかの判定（Ｓ１０４）は同一の処理で行われてもよいし、いずれか一方のみ行われても、いずれも行われなくてもよい。
【００３１】
図６は、自動取引装置２００の公的個人識別カード処理Ｓ２００について示すフローチャートである。このフローチャートに示されるように、公的個人識別カード処理Ｓ２００では、まず、挿入された公的個人識別カード４１０で、金融機関の口座との関連付けがされているかどうかを判定する（Ｓ２０１）。
【００３２】
ここで、自動取引装置２００の送信部２５１は、カード読取部２４０により読み取られた個人識別番号を送信し、自動取引サーバ３００のサーバ受信部３５２は、送信された公的個人識別カードの個人識別番号を受信する。
【００３３】
自動取引サーバ３００のサーバ制御部３５０は、例えば、受信した個人識別番号が個人識別番号記憶部３５５に記録されているかどうかを検索し、記録されている場合には関連付けられている口座番号を取得することとしてもよい。
【００３４】
取得した口座番号は、サーバ送信部３５１を介して自動取引装置２００に送信されることとしてもよい。受信部２５２は、個人識別番号に関連付けられた金融機関の口座番号を受信する。ここで受信する口座番号の数は単数であってもよいし、複数であってもよい。
【００３５】
また、ステップＳ２０１の時点では、サーバ送信部３５１は、口座番号を送信することなく、個人識別番号記憶部３５５に対応する口座番号が記録されているかどうかのみを送信することとしてもよい。個人識別番号記憶部３５５のデータベース構成は、例えば、図７の個人識別番号テーブル１５６のように、個人識別番号に金融機関の口座番号が関連付けられるように構成することができる。
【００３６】
ステップＳ２０１において、金融機関の口座との関連付けがされていると判定された場合には、公的個人識別カード４１０による取引処理Ｓ３００に移行し、このステップＳ３００による取引処理が終了すると、公的個人識別カード処理Ｓ２００は終了する。
【００３７】
一方、金融機関の口座との関連付けがされていないと判定された場合には、図８に示される公的個人識別カード初回画面６２０を表示する（Ｓ２０２）。公的個人識別カード初回画面６２０は、例えば、口座が関連付けられていない旨が示されると共に、新規口座の開設、既存口座の関連付け及び取引終了を選択することができる画面とすることができる。
【００３８】
利用者が公的個人識別カード初回画面６２０において、口座開設を選択した場合には（Ｓ２０３）、口座開設処理Ｓ２１０に移行し、既存口座への関連付けを選択した場合には（Ｓ２０３）、既存口座関連付け処理Ｓ２２０に移行する。口座開設処理Ｓ２１０又は既存口座関連付け処理Ｓ２２０が終了すると、ステップＳ２０１に戻り、金融機関の口座との関連付けがされているかどうかを判定を行う。
【００３９】
図９は、口座開設処理Ｓ２１０について示すフローチャートである。このフローチャートに示されるように、まず公的個人識別カード４１０を認証する（Ｓ２１１）。ここでの処理はステップＳ１０３における処理と同様とすることができ、また公的個人識別カード４１０のための特別の認証処理等のステップＳ１０３の認証処理と異なる処理とすることとしてもよい。ここで、公的個人識別カード４１０が既に認証されている場合には、この処理は行われなくてもよい。
【００４０】
一方、認証されなかった場合（ＮＧ）には、口座開設処理Ｓ２１０を終了することができる。認証された場合（ＯＫ）には、開設口座の暗証番号設定処理Ｓ２１２を行うこととすることができる。暗証番号設定処理Ｓ２１２では、複数回同じ暗証番号を入力させることにより、暗証番号の入力間違いを検出する方法、及びその他の方法を用いることができる。開設口座の暗証番号設定処理Ｓ２１２の終了後、制御部２５０は、口座に登録される登録情報を表示部２２０に表示させることとしてもよい（Ｓ２１３）。この場合に、入力部２１０により、利用者のＮＯ押下を検出した場合には、口座開設処理Ｓ２１０を終了することとしてもよい。
【００４１】
また利用者のＯＫ押下を検出した場合には、口座番号を割り付けて登録情報に基づいた口座を開設し（Ｓ２１４）、口座開設処理を終了することができる。なお口座番号の割り付けの処理は、自動取引サーバ３００内で行われてもよいし、ネットワーク１１０に接続された他のサーバ装置により行われてもよい。
【００４２】
この際、自動取引装置２００の送信部２５１は、新規の口座番号を割り付ける指示を送信することができ、サーバ受信部３５２は、新規の口座番号を割り付ける指示を受信し、口座開設部３５４が、口座番号を割り付けて口座を開設することとしてもよい。受信部２５２は、割り付けられた新規の口座番号を、個人識別番号に関連付けられた金融機関の口座番号として受信することとなる。
【００４３】
口座番号が割り付けられた際には、口座番号関連付け保存部３５３が、個人識別番号と口座番号とを関連付けて、個人識別番号記憶部３５５に保存する。このように、金融口座カード４２０を発行することなく、金融機関の口座の開設を行うことができるため、金融口座カード４２０を増加させることによる、金融口座カード４２０の管理の煩雑さや紛失の恐れを低減しつつ、自動取引装置による金融機関の口座を用いた取引を行うことができる。
【００４４】
図１０は、既存口座関連付け処理Ｓ２２０について示すフローチャートである。このフローチャートに示されるように、まず公的個人識別カード４１０を認証する（Ｓ２２１）。ここでの処理はステップＳ１０３における処理と同様とすることができ、また公的個人識別カード４１０のための特別の認証処理等のステップＳ１０３の認証処理と異なる処理とすることとしてもよい。ここで、公的個人識別カード４１０が既に認証されている場合には、この処理は行われなくてもよい。
【００４５】
一方、認証されなかった場合（ＮＧ）には、既存口座関連付け処理Ｓ２２０を終了することができる。認証された場合（ＯＫ）には、金融機関の金融口座カード４２０又は通帳の挿入を受け付ける（Ｓ２２２）。
【００４６】
次に、表示部２２０を介して、利用者に金融機関の口座の暗証番号を入力させ、金融機関の口座の認証を行う（Ｓ２２３）。認証されなかった場合（ＮＧ）には、既存口座関連付け処理Ｓ２２０を終了することができる。
【００４７】
一方、認証された場合（ＯＫ）には、例えば、制御部２５０の送信部２５１は、個人識別番号に加えて、個人識別番号に関連付けられていない口座番号を送信し、サーバ受信部３５２は、個人識別番号と共に口座番号を受信し、自動取引サーバ３００の口座番号関連付け保存部３５３が、個人識別番号記憶部３５５に、口座番号を関連付けて保存することとしてもよい（Ｓ２２４）。
【００４８】
また、その後、受信部２５２は、自動取引サーバ３００から送信された口座番号を、個人識別番号に関連付けられた口座番号として受信することとすることができる。このように、既にある金融機関の口座に、公的個人識別カード４１０を関連付けることができるため、金融口座カード４２０を使用することなく、公的個人識別カード４１０により口座取引を行うことができる。これにより、金融口座カード４２０の管理の煩雑さや紛失の恐れを低減しつつ、自動取引装置による金融機関の口座を用いた取引を行うことができる。
【００４９】
図１１は、公的個人識別カード４１０による取引処理Ｓ３００について示すフローチャートである。このフローチャートに示されるように、まず、例えば図１２に示されるような取引画面６３０を表示する（Ｓ３０１）。
【００５０】
取引画面６３０は、例えば、公的個人識別カード４１０が使用されている旨を示すと共に、引き出し、預け入れ、振り込み、残高照会及び口座切替のボタンを含むように構成されていてもよい。次に利用者がいずれかのボタンの選択がしたことを、入力部２１０を介して制御部２５０が認識する（Ｓ３０２）。
【００５１】
ここで、例えば、引き出し、預け入れ、振り込み及び残高照会のいずれかの取り引きの選択が検出された場合には、口座取引処理Ｓ３０７に移行する。口座取引処理Ｓ３０７については従来の金融機関の金融口座カード４２０を使用した取引の処理と同様であるため説明を省略する。
【００５２】
一方、口座切替ボタンの選択が検出された場合には、例えば図１３に示されるような、公的個人識別カード４１０に関連付けられた口座の一覧である口座一覧画面６４０を表示する。ここで、受信部２５２が複数の口座番号を受信している場合には、表示部２２０は複数の口座番号を表示することができる。
【００５３】
口座一覧画面６４０には、公的個人識別カード４１０に関連付けられた口座の一覧と共に、口座優先順位切替のボタンを表示することとしてもよい。なお、口座優先順位切替のボタンは、取引画面６３０等他の画面に表示されることとしてもよい（Ｓ３０３）。
【００５４】
入力部２１０は、表示された複数の口座番号のうち、一つの口座番号の選択を検出する（Ｓ３０４）。いずれかの口座が選択されたことを検出した場合には、ステップＳ３０１に戻り、選択された口座の取引画面６３０を表示する。制御部２５０は選択された口座番号の取引処理を行うこととしてもよい。
【００５５】
ステップＳ３０４において、優先順位のボタンが選択されたことを認識した場合には、図１４に示されるような、口座取引を行う際に最初に表示される優先口座を設定する画面である優先順位設定画面６５０を表示する（Ｓ３０５）。図１３の場合と同様に、表示部２２０は複数の口座番号を表示することができる。
【００５６】
優先順位設定画面６５０では、例えば入力部２１０が、表示された複数の口座番号のうち、一つの口座番号の選択を検出した場合には、選択された口座番号を最初に表示させる口座とするように設定することとしてもよい（Ｓ３０６）。
【００５７】
優先口座が選択されると、ステップＳ３０１に戻り、選択された優先口座の取引画面６３０を表示する。このように、金融口座カード４２０を使用することなく、自動取引装置において口座取引を行うことができる。
【００５８】
また、金融機関の口座を複数有する場合においても、自動取引装置においていずれかの口座を選択して取引を行うことができる。また、自動取引装置において、例えばより頻繁に利用する口座を、優先的に表示させるように設定することができる。これにより、金融口座カード４２０の管理の煩雑さや紛失の恐れを低減しつつ、自動取引装置による金融機関の口座を用いた取引を行うことができる。
【００５９】
図１５には、自動取引装置２００の自動取引処理Ｓ５００のフローチャートが示されている。このフローチャートに示されるように、制御部２５０は、表示部２２０に対して、例えば図５に示されるような開始画面６１０を表示させる（Ｓ５０１）。開始画面６１０では、例えば利用者に対して、公的個人識別カード４１０を含むカードを挿入させるか、引き出し、預け入れ、振り込み及び残高照会のいずれかの取り引きを選択させる画面となっている。ここで、この他の取り引きを選択させる画面であってもよい。ここでは図１５のフローチャートでは、ステップＳ５０１においていずれかの取引ボタンが押下された場合の例について示している。
【００６０】
いずれかの取引ボタンが押下された旨の信号を受信すると（Ｓ５０２）、図１６に示されるようなカード挿入画面６６０を表示する（Ｓ５０３）。カード挿入画面６６０は、図１６に示されるように、カードの挿入を促すメッセージの他、個人識別番号の入力を促すものであってもよい。
【００６１】
しかしながら、個人識別番号の入力を促すものでなく、個人識別番号の入力は受け付けない構成であってもよい。制御部２５０は、カードの挿入があったか、個人識別番号の入力があったかどうかを確認し（Ｓ５０４）、カードの挿入があった場合には、公的個人識別カード４１０であるかどうかの確認を含めてカード認証を行う（Ｓ５０５）。カードの認証ができなかった場合（ＮＧ）には自動取引処理Ｓ５００を終了する。
【００６２】
カードの認証ができた場合（ＯＫ）には、表示部２２０を介して暗証番号の入力を促し、暗証番号による認証を行う（Ｓ５０６）。この際の暗証番号は、公的個人識別カード４１０の暗証番号であってもよいし、金融機関の金融口座カード４２０の暗証番号であってもよいし、これらの両方であってもよい。
【００６３】
また暗証番号以外の認証方法であってもよい。ここで認証ができなかった場合には自動取引処理Ｓ５００を終了し、認証された場合には、選択された口座取引処理を行う。口座取引処理Ｓ５０７については従来の金融機関の金融口座カード４２０を使用した取引の処理と同様であるため説明を省略する。
【００６４】
一方、ステップＳ５０４において、個人識別番号が入力された場合には、入力された個人識別番号を用いて認証が行われる（Ｓ５０８）。認証された場合には、ステップＳ５０６の暗証番号認証に移行する。認証されなかった場合には、自動取引処理Ｓ５００を終了する。
【００６５】
このように、金融口座カード４２０を使用することなく、自動取引装置において口座取引を行うことができる。更に個人識別番号の入力により、利用者はいずれのカードも使用することなく、自動取引装置において口座取引を行うことができる。
【００６６】
また、金融機関の口座を複数有する場合においても、自動取引装置においていずれかの口座を選択して取引を行うことができる。これにより、金融口座カード４２０の紛失の恐れを低減し、更に金融口座カード４２０の管理負担を低減しつつ、自動取引装置による金融機関の口座を用いた取引を行うことができる。
【００６７】
（３）本実施形態の効果
本発明の自動取引装置２００は、公的個人識別カード４１０の個人識別番号を読み取るカード読取部２４０と、カード読取部２４０により読み取られた個人識別番号を送信する送信部２５１と、個人識別番号に関連付けられた金融機関の口座番号を受信する受信部２５２と、受信部２５２で受信した口座番号での取引画面を表示する表示部２２０と、取引画面において表示される口座取引のうち、選択された口座取引を検知する入力部２１０と、口座番号の口座において、入力部で検知された種類の口座取引の処理を行う制御部２５０と、を備えるため、金融口座カード４２０を使用することなく、金融機関の口座の取引を行うことができる。
【産業上の利用可能性】
【００６８】
本発明は、例えば、金融機関やコンビニエンスストア等に設置される自動取引装置に適用することができる。
【符号の説明】
【００６９】
１００……自動取引システム、１１０……ネットワーク、２００……自動取引装置、２１０……入力部、２２０……表示部、２３０……現金授受部、２４０……カード読取部、２５０……制御部、２５１……送信部、２５２……受信部、２５３……ＣＰＵ、２５４……揮発性記憶部、２５５……不揮発性記憶部、２５６……入出力インタフェース、３００……自動取引サーバ、３５０……サーバ制御部、３５１……サーバ送信部、３５２……サーバ受信部、３５３……口座番号関連付け保存部、３５４……口座開設部、３５５……個人識別番号記憶部、３５６……個人識別番号テーブル、３５７……ＣＰＵ、３５８……揮発性記憶部、３５９……不揮発性記憶部、４１０……公的個人識別カード、４２０……金融口座カード、６１０……開始画面、６２０……公的個人識別カード初回画面、６３０……取引画面、６４０……口座一覧画面、６５０……優先順位設定画面、６６０……カード挿入画面。
【図１】
2018025967.tif 000003
【図２】
2018025967.tif 000004
【図３】
2018025967.tif 000005
【図４】
2018025967.tif 000006
【図５】
2018025967.tif 000007
【図６】
2018025967.tif 000008
【図７】
2018025967.tif 000009
【図８】
2018025967.tif 000010
【図９】
2018025967.tif 000011
【図１０】
2018025967.tif 000012
【図１１】
2018025967.tif 000013
【図１２】
2018025967.tif 000014
【図１３】
2018025967.tif 000015
【図１４】
2018025967.tif 000016
【図１５】
2018025967.tif 000017
【図１６】
2018025967.tif 000018